(57)【要約】【課題】吸引手段を備えることなく肌に所望のひだを形成してセルライトを解消することのできるセルライト解消器具を提供することを課題とする。【解決手段】肌への押付けにより肌に食い込む螺旋状の突出部６をその側周面に設けて成るローラ５と、ローラ５を軸中心に回転駆動させるモータ４と、肌への押付けにより肌に食い込むとともに回転駆動される上記ローラ５の突出部６との間で肌を挟み込んでひだを形成し皮下組織内のセルライトを接触摺動させる突起部１１とを備えることで、セルライト解消器具１を形成する。【選択図】        図１
2004298484.tif 000002
【特許請求の範囲】
【請求項１】
肌への押付けにより肌に食い込む螺旋状の突出部をその側周面に設けて成るローラと、ローラを軸中心に回転駆動させる駆動源と、肌への押付けにより肌に食い込むとともに回転駆動される上記ローラの突出部との間で肌を挟み込んでひだを形成し皮下組織内のセルライトを接触摺動させる突起部とを備えたことを特徴とするセルライト解消器具。
【請求項２】
突起部とローラの両外から内側に肌を寄せるように駆動される肌寄せ機構を備えたことを特徴とする請求項１記載のセルライト解消器具。
【請求項３】
突起部とローラの少なくとも一方が、肌表面と平行な方向に駆動されるものであることを特徴とする請求項１記載のセルライト解消器具。
【請求項４】
肌への押付けにより肌に食い込む螺旋状の突出部をその側周面に設けて成るローラを、一対平行に設けるとともに、前記一対のローラを互いの突出部の間で肌を挟み込んでひだを形成し皮下組織内のセルライトを接触摺動させる方向に回転駆動させる駆動源を備えたことを特徴とするセルライト解消器具。
【請求項５】
一対のローラの一方と他方とで、突出部の螺旋ピッチを相違させたことを特徴とする請求項４記載のセルライト解消器具。
【請求項６】
一対のローラの一方と他方とを、互いに異なる回転数で回転駆動されるものとしたことを特徴とする請求項４又は５記載のセルライト解消器具。
【請求項７】
一対のローラ間の距離を可変とする施療範囲変更機構を備えたことを特徴とする請求項４〜６のいずれか記載のセルライト解消器具。
【請求項８】
一対のローラの両外から内側に肌を寄せるように駆動される肌寄せ機構を配したことを特徴とする請求項４〜７のいずれか記載のセルライト解消器具。
【発明の詳細な説明】
【０００１】
【発明の属する技術分野】
本発明は、セルライトを手軽に且つ効果的に解消する為のセルライト解消器具に関する。
【０００２】
【従来の技術】
セルライトとは、皮下組織内にて通常は血管に隣接している脂肪細胞が血管から離れて浮遊し、この浮遊した脂肪細胞に老廃物が付着すると共にコラーゲンが巻き付いて巨大化した組織のことである。このセルライトは冷え性やむくみが原因となることから特に女性の体に生成され易く、また、一旦生成されてしまうと運動や食事制限だけでは容易に解消されない性質のものなので、肥満解消の為にはセルライト解消を目的とした特別の施療が必要となる。
【０００３】
そこで、例えば図１７に示すようなセルライト解消器具８０が従来から提案されている（特許文献１参照）。このものは、下面中央の窪み８４内に真空ポンプを用いた吸引手段８３と一対のローラ８１，８２とを備えたものであり、吸引手段８３により窪み８４内に吸い込んだ肌をローラ８１，８２により挟持してひだを形成し、この際に皮下組織内にあるセルライトの塊を接触摺動させてコラーゲンを破壊することで、セルライトを解消するものである。
【０００４】
しかしながら、上記した従来のセルライト解消器具８０は、真空ポンプ等を用いた吸引手段８３を具備する必要がある為に器具全体が巨大化及び高重量化していて使い勝手が悪いばかりでなく、吸引時に大きな騒音も発生して自宅で手軽に使用するには都合の悪いものであった。
【０００５】
【特許文献１】
仏国特許発明第２０５７５１４号明細書
【０００６】
【発明が解決しようとする課題】
本発明は上記の点に鑑みてなされたものであり、吸引手段を備えることなく肌に所望のひだを形成してセルライトを解消することのできるセルライト解消器具を提供することを課題とするものである。
【０００７】
【課題を解決するための手段】
上記課題を解決するために本発明を、肌への押付けにより肌に食い込む螺旋状の突出部をその側周面に設けて成るローラと、ローラを軸中心に回転駆動させる駆動源と、肌への押付けにより肌に食い込むとともに回転駆動される上記ローラの突出部との間で肌を挟み込んでひだを形成し皮下組織内のセルライトを接触摺動させる突起部とを備えたことを特徴とするセルライト解消器具とする。このようにすることで、ローラの突出部と突起部とを肌に押付けた状態で駆動源によりローラを回転駆動させると、ローラの突出部と突起部との間で挟み込まれた肌にはひだが形成されて皮下組織内のセルライトは接触摺動により解消されることとなる。このようなものとすれば、吸引手段を備えることなく肌に所望のひだを形成してセルライトを解消することのできるので、器具全体の小型軽量化及び低騒音化が達成されて自宅でも手軽に使用可能なものとなる。また、単純な構造でセルライトを効率的に接触摺動させるものになっているので、部品点数の削減により低コスト化及び製造工程の簡略化が達成されるものである。
【０００８】
また、上記セルライト解消器具を、突起部とローラの両外から内側に肌を寄せるように駆動される肌寄せ機構を備えたものとしてもよい。このようにすることで、ローラの突出部と突起部との間で挟むことのできる肌の量を増大させることができる。
【０００９】
また、上記セルライト解消器具を、突起部とローラの少なくとも一方が、肌表面と平行な方向に駆動されるものとしてもよい。このようにすることで、突起部とローラの突出部との間で挟まれてひだの形成される部分が時間の経過に伴い移動するので、肌全体を満遍なく施療することが可能なものとなる。
【００１０】
また、上記課題を解決するために本発明を、肌への押付けにより肌に食い込む螺旋状の突出部をその側周面に設けて成るローラを、一対平行に設けるとともに、前記一対のローラを互いの突出部の間で肌を挟み込んでひだを形成し皮下組織内のセルライトを接触摺動させる方向に回転駆動させる駆動源を備えたことを特徴とするセルライト解消器具としてもよい。このようにすることで、一対のローラの突出部を肌に押付けた状態で駆動源により両ローラを回転駆動させると、一対のローラの突出部の間で挟み込まれた肌にはひだが形成されて皮下組織内のセルライトが接触摺動により解消されることとなる。このようなものとすれば、吸引手段を備えることなく肌に所望のひだを形成してセルライトを解消することができるので、器具全体の小型軽量化及び低騒音化が達成されて自宅でも手軽に使用可能なものとなる。また、単純な構造でセルライトを効率的に接触摺動させるものになっているので、部品点数の削減により低コスト化及び製造工程の簡略化が達成されるものである。
【００１１】
また、上記セルライト解消器具を、一対のローラの一方と他方とで、突出部の螺旋ピッチを相違させたものとしてもよい。このようにすることで、螺旋ピッチの適宜選択により、一対のローラに挟まれる限られた施療範囲内の肌において、最も大きくひだの形成される箇所の数の減増を自在に調整することができるものである。
【００１２】
また、上記セルライト解消器具を、一対のローラの一方と他方とを、互いに異なる回転数で回転駆動されるものとしてもよい。このようにすることで、一対のローラに挟まれる施療範囲内の肌において、最も大きくひだの形成される箇所を時間の経過に伴い移動させ、施療範囲内において肌全体を略均一に施療可能にすることができるものである。
【００１３】
また、上記セルライト解消器具を、一対のローラ間の距離を可変とする施療範囲変更機構を備えたものとしてもよい。このようにすることで、一対のローラ間に挟まれる肌の量を自在に変更することができる。
【００１４】
また、上記セルライト解消器具を、一対のローラの両外から内側に肌を寄せるように駆動される肌寄せ機構を配したものとしてもよい。このようにすることで、一対のローラ間で挟むことのできる肌の量を増大させることができる。
【００１５】
【発明の実施の形態】
以下、本発明を添付図面に示す実施の形態に基づいて説明する。図１（ａ）、（ｂ）に示すように、本発明の実施の形態における一例のセルライト解消器具１は、その外殻を成す箱型のハウジング３内にモータ４と該モータ４を駆動源として軸中心に回転駆動される円柱状のローラ５とを具備したものである。上記ローラ５は、図２（ｂ）にも示すように、その一端５ａ及び他端５ｂがハウジング３の内面３ａに回転自在に支持されるとともに、その側周面５ｃの一端５ａ側から他端５ｂ側にかけて突出部６を螺旋状に形成したものであって、突出部６の一部は、ハウジング３の内部空間と外部とを連通させるように該ハウジング３の一外側面である肌当て面３ｂに形成した開口部１２から、外部に突出させている。上記モータ４には、回転動力を出力するモータシャフト７をローラ５と平行に設けており、モータシャフト７に取付固定したプーリ８と、ローラ５の一端５ａ側に取付固定したプーリ９とを、タイミングベルト１０により連結させている。しかして、モータ４を駆動させると、モータシャフト７に出力されるモータ４の回転動力は、プーリ８、タイミングベルト１０、プーリ９と伝達されてローラ５を回転駆動するものであり、上記のプーリ８とタイミングベルト１０とプーリ９とで、モータ４の回転動力をローラ５の回転駆動力として伝達する動力伝達機構が構成されている［図２（ａ）参照］。更に、本例のセルライト解消器具１には、ハウジング３の肌当て面３ｂの開口部１２近傍に円柱状の突起部１１を突設している。この突起部１１は、ローラ５の回転軸方向における中心部分から、回転軸と直交方向に所定距離Ｌだけ離れた位置に設けたものである。
【００１６】
突起部１１、及び、ローラ５の突出部６の、ハウジング３からの（即ち肌当て面３ｂからの）突出量は、ハウジング３の肌当て面３ｂ側を使用者の肌７０に押付けた際にその肌７０に食い込む程度にそれぞれ設定しており、加えて、突起部１１とローラ５との距離Ｌは、両者１１，５の間に肌７０が入り込むのに適当な距離に設定しているので、モータ４の駆動によりローラ５を図３の矢印で示す方向、即ち、ローラ５の突出部６の肌７０との当接側部分が突起部１１に接近していく方向に回転駆動させると、ローラ５の突出部６が周囲の肌７０を突起部１１側に移動させて、図３に点線で示すように突起部１１とローラ５の突出部６との間で肌７０を寄せ集めて持ち上げることでひだを形成し、皮下組織内のセルライトを接触摺動させて該セルライトを解消するものである。
【００１７】
なお、突起部１１の形状としては円柱状に限定されず、ローラ５の突出部６との間で肌７０を挟み込んでひだを形成し皮下組織内のセルライトを接触摺動させるものであれば他の形状であっても構わない。また、駆動源や動力伝達機構も上記したものに限定されず、適宜設計変更可能である。
【００１８】
次に、本発明の実施の形態における他例のセルライト解消器具２１について説明する。図４（ａ）、（ｂ）に示すように、他例のセルライト解消器具２１は、その外殻を成す箱型のハウジング２３内に、モータ２４と、該モータ２４を駆動源として互いに逆方向に回転駆動される一対の平行なローラ２５，２５とを具備したものである。上記一対のローラ２５，２５は共に、その一端２５ａ及び他端２５ｂがハウジング２３の内面２３ａに回転自在に支持されるとともに、その側周面２５ｃの一端２５ａ側から他端２５ｂ側にかけて突出部２６を螺旋状に形成したものである。また、両ローラ２５，２５のいずれにあっても、その突出部２６の一部は、ハウジング２３の内部空間と外部とを連通させるように該ハウジング２３の一外側面である肌当て面２３ｂに形成した開口部３２から、外部に突出させている。
【００１９】
モータ４には、回転動力を出力するモータシャフト２７を、一対のローラ２５，２５と互いに平行となるように設けている。モータシャフト２７には歯車３３とプーリ２８とを同軸上に取付固定しており、このモータシャフト２７側のプーリ２８と、一対のローラ２５，２５の一方に取付固定したプーリ２９とを、タイミングベルト３４により連結させている。また、ハウジング２３の内面２３ａには、一対のローラ２５，２５及びモータシャフト２７と互いに平行な支持軸３５を回転自在に支持させており、この支持軸３５には、モータシャフト２７の歯車３３に噛合う歯車３６と、一対のローラ２５，２５の他方に取付固定したプーリ３０とタイミングベルト３８により連結されるプーリ３７とを、同軸上に取付固定している。
【００２０】
しかして、モータ２４を駆動させると、モータシャフト２７に出力されるモータ２４の回転駆動力は、プーリ２８、タイミングベルト３４、プーリ２９と伝達されて一対のローラ２５，２５の一方を回転駆動し、同時に、歯車３３、歯車３６、支持軸３５、プーリ３７、タイミングベルト３８、プーリ３０と伝達されて一対のローラ２５，２５の他方を回転駆動するものである。なお、歯車３３から歯車３６へは回転動力が逆の回転方向で伝達されるので、一対のローラ２５，２５の一方と他方とは互いに逆方向に回転駆動される。即ち、上記のプーリ２８とタイミングベルト３４とプーリ２９、及び、歯車３３と歯車３６と支持軸３５とプーリ３７とタイミングベルト３８とプーリ３０とで、モータ４の回転動力を一対のローラ２５，２５の一方と他方とを互いに逆方向に回転させる回転駆動力として伝達する、動力伝達機構が構成されている（図５参照）。
【００２１】
一対のローラ２５，２５のいずれにおいても、突出部２６の、ハウジング２３からの（即ち肌当て面２３ｂからの）突出量は、ハウジング２３の肌当て面２３ｂ側を使用者の肌７０に押付けた際にその肌７０に食い込む程度に設定しており、加えて、一対のローラ２５，２５間の距離Ｌ´は、両者２５，２５の間に肌７０が入り込むのに適当な距離に設定しているので、モータ２４の駆動によりローラ２５，２５を図６の矢印で示す方向、即ち、一対のローラ２５，２５の突出部２６，２６の肌７０との当接側部分が互いに接近していく方向に回転駆動させると、ローラ２５，２５の突出部２６，２６が周囲の肌７０を内側に移動させて、図６に点線で示すように一対のローラ２５，２５の突出部２６，２６間で肌７０を寄せ集めて持ち上げることでひだを形成し、皮下組織内のセルライトを接触摺動させて該セルライトを解消するものである。なお、駆動源や動力伝達機構は上記したものに限定されず、適宜設計変更可能である。
【００２２】
図７には、本例のセルライト解消器具２１において、一対のローラ２５，２５の一方を小さな螺旋ピッチのものに取り換えることで、一対のローラ２５，２５の一方と他方とで突出部２６，２６の螺旋ピッチを相違させた場合を示している。この場合、一対のローラ２５，２５に挟まれる限られた施療範囲内の肌７０において、最も大きくひだの形成される箇所の数を減少させることができ、ひだの形成箇所が接近し過ぎている為に隣接箇所同士が引張り合って効率良く肌７０を持ち上げることが不能になるといった問題が解消されるものである。なお、肌７０に十分な柔軟性があり隣接するひだの形成箇所同士で引張り合いが生じない場合には、一対のローラ２５，２５の一方を大きな螺旋ピッチのものに取り換えることも好適である。
【００２３】
また、図８、図９には、本例のセルライト解消器具２１において、支持軸３５に取付固定される歯車３６を歯数の少ない小径のものに取り換えることで、一対のローラ２５，２５の一方と他方とを互いに異なる回転数で回転駆動されるようにした場合を示している。この場合、一対のローラ２５，２５に挟まれる施療範囲内の肌７０において、最も大きくひだの形成される箇所が一定箇所に留まらず時間の経過に伴い移動するので、施療範囲内において肌７０全体を略均一に施療することが可能なものとなる。
【００２４】
また、図１０、図１１には、本例のセルライト解消器具２１において、一対のローラ２５，２５間の距離Ｌ´を可変とした場合を示している。ハウジング２３の内面２３ａの互いに対向する箇所には、断面が長円形状の長穴３９，３９を一対貫設しており、この長穴３９，３９にはそれぞれ、ローラ２５の両端２５ａ，２５ｂを回転自在に支持する為の丸穴４０ａを中央部分に形成するとともに外周部分にはねじ部４０ｂを形成して成るスリーブ４０を、前記ねじ部４０ｂにハウジング２３の外部側からナット４１を締め付けることにより、取付固定している。この一対のスリーブ４０，４０には一対のローラ２５，２５の一方を回転自在に支持させているので、ナット４１を緩めて各スリーブ４０の長穴３９内での固定位置を変更した後に該ナット４１を締め付けることで、一対のローラ２５，２５間の距離Ｌ´が調整可能となっている。
【００２５】
しかして、図１０（ａ）に示すように一対のローラ２５，２５間を接近させて距離Ｌ´を小さくする、または、図１０（ｂ）に示すように一対のローラ２５，２５間の距離Ｌ´を大きくすることで、肌７０を挟む施療範囲つまりは肌７０の挟まれる量を変更することが可能となるものである。なお、ここでは一対のローラ２５，２５の一方のみの支持箇所を上記の長穴３９，３９内で移動自在に設けることで、一対のローラ２５，２５間の距離Ｌ´を可変とする施療範囲変更機構を構成しているが、長穴３９，３９を二対設けるとともに一対のローラ２５，２５の両方を各長穴３９，３９内で移動自在に設けることで施療範囲変更機構を構成してもよい。
【００２６】
また、図１２〜図１５には、本例のセルライト解消器具２１において、一対のローラ２５，２５の両外から内側に肌７０を寄せるように駆動される肌寄せ機構を配したものを示している。以下、具体的に説明する。ハウジング２３内には、一対のローラ２５，２５を挟んで対向する一対の肌寄せ片４２，４２を設けており、肌寄せ片４２，４２の先端部４２ａ，４２ａはそれぞれ開口部３２から外部に突出させている。肌寄せ片４２には、先端部４２ａと逆側である後端部の側面に長穴４３，４３を形成するとともに、先端部４２ａと後端部との中間部分の両側面にはハウジング２３の内面２３ａに回転自在に支持される支持軸４４，４４を突設している。ハウジング２３の内面２３ａには一対のプーリ４５，４５を回転自在に支持させており、各プーリ４５に突設した偏心軸４６はそれぞれ対応する肌寄せ片４２の長穴４３に係合させている。また、各プーリ４５は、モータシャフト２７に取付固定したプーリ４８とタイミングベルト４７を介してそれぞれ連結させている。
【００２７】
しかして、モータ２４を駆動させると、モータシャフト２７に出力されるモータ２４の回転動力は、プーリ４８、タイミングベルト４７，４７、プーリ４５，４５と伝達されて一対の偏心軸４６，４６を互いに逆方向に回転運動させるとともに、各長穴４３がその肌寄せ片４２の先端部４２ａ側から後端側へと長尺に形成されていることから、この偏心軸４５，４５の回転運動がそれぞれ長穴４３，４３を介して肌寄せ片４２，４２の支持軸４４を中心とした揺動運動として伝達され、一対の肌寄せ片４２，４２の先端部４２ａ，４２ａをそれぞれ往復運動させるものである。なお、一対の偏心軸４６，４６は位相を１８０度ずらして設定しているので、一対の肌寄せ片４２，４２の先端部４２ａ，４２ａは互いに接近する方向への移動と互いに離れる方向への移動とを繰り返し行うようになっている。図１５（ｂ）には一対の肌寄せ片４２，４２の先端４２ａ，４２ａが最も接近した状態、図１５（ｃ）には最も離れた状態、図１５（ａ）には中間の状態を示している。
【００２８】
上記のように、その先端部４２ａ，４２ａが開口部３２（即ち肌当て面２３ｂ）から突出するようにハウジング２３内に回動自在に支持させた一対の肌寄せ片４２，４２と、駆動源であるモータ２４の回転動力をこの一対の肌寄せ片４２，４２の先端部４２ａ，４２ａを互いに接近する方向と互いに離れる方向とで往復動させる駆動力として伝達するように、プーリ４８、タイミングベルト４７，４７、プーリ４５，４５、偏心軸４６，４６、長穴４３，４３とで構成した動力伝達機構とを備えることで、モータ２４により一対のローラ２５，２５の両外から内側に肌７０を寄せるように駆動される肌寄せ機構が形成されている。これにより、モータ２４を駆動させれば一対のローラ２５，２５の回転駆動と同時に上記肌寄せ機構の駆動が行われるので、ローラ２５，２５の突出部２６，２６で挟み込む肌７０の量を増加させることができるものである。
【００２９】
なお、同様の構成の肌寄せ機構を、既述した一例のセルライト解消器具１に備え、突起部１１とローラ５の両外から内側に肌を寄せるように駆動されるものとすれば、一例のセルライト解消器具１においても、モータ４を駆動させればローラ５の回転駆動と同時に上記肌寄せ機構の駆動が行われて、ローラ５と突起部１１との間で挟み込む肌７０の量を増加させることができる。この場合、一対の肌寄せ片４２，４２は突起部１１とローラ５とを挟んで対向する位置に備えればよい。
【００３０】
次に、本発明の実施の形態における更に他例のセルライト解消器具５１について説明する。なお、更に他例の構成は既述した一例のセルライト解消器具１と比して、突起部１１を肌７０表面と平行な方向に駆動されるものとした構成以外は略同様であるから、同一の構成については同一記号を付して説明を省略し、特徴的構成についてのみ別符号を付して以下に説明する。
【００３１】
更に他例のハウジング５３内には、モータ４とは別の駆動源であるモータ５４と、このモータ５４のモータシャフト５７に固定された偏心アーム５５と、偏心アーム５５に突設されてモータ５４の駆動により回転駆動される偏心軸５６と、偏心軸５６を挿入する長穴５８ａを有し該偏心軸５６の回転によりハウジング５３の肌当て面５３ａと平行な一直線方向に往復動される移動板５８とを備えており、この移動板５８に突起１１を突設しているので、モータ５４を駆動させると、モータシャフト５７から出力されるモータ５４の回転動力は、偏心アーム５５と偏心軸５６と移動板５８とから成る動力伝達機構によって、突起部１１を肌７０表面と平行な方向に駆動させる駆動力として伝達されるものである。そして、これにより、突起部１１とローラ５の突出部６との間で挟まれてひだの形成される部分を時間の経過に伴い移動させることができるので、肌７０全体を満遍なく施療することが可能なものとなる。
【００３２】
なお、ローラ５側にも同様の機構を備えて突起部１１とローラ５とを共に肌７０表面と平行な方向に駆動させるものとしても良いし、突起部１１は固定してローラ５のみを肌７０表面と平行な方向に駆動させるものとしても良い。
【００３３】
そして、上記したいずれのセルライト解消器具１，２１，５１においても、吸引ポンプ等の吸引手段を備えることなく肌７０に所望のひだを形成してセルライトを解消することができるので、器具全体の小型軽量化及び低騒音化が達成されて自宅でも手軽に使用可能なものである。また、単純な構造でセルライトを効率的に接触摺動させるものになっているので、部品点数の削減により低コスト化及び製造工程の簡略化が達成されるものである。
【００３４】
【発明の効果】
上記のように請求項１記載の発明にあっては、吸引手段を備えることなく肌に所望のひだを形成してセルライトを解消することができるので、器具全体の小型軽量化及び低騒音化が達成されて自宅でも手軽に使用可能なものとなるといった効果がある。また、単純な構造でセルライトを効率的に接触摺動させるものであるから、部品点数の削減により低コスト化及び製造工程の簡略化が達成されるといった効果がある。
【００３５】
また、請求項２記載の発明にあっては、請求項１記載の発明の効果に加えて、ローラの突出部と突起部との間で挟むことのできる肌の量を増大させることができるという効果がある。
【００３６】
また、請求項３記載の発明にあっては、請求項１記載の発明の効果に加えて、突起部とローラの突出部との間で挟まれてひだの形成される部分を時間の経過に伴い移動させて肌全体を満遍なく施療することができるという効果がある。
【００３７】
また、請求項４記載の発明にあっては、吸引手段を備えることなく肌に所望のひだを形成してセルライトを解消することのできるので、器具全体の小型軽量化及び低騒音化が達成されて自宅でも手軽に使用可能なものとなるといった効果がある。また、単純な構造でセルライトを効率的に接触摺動させるものなので、部品点数の削減により低コスト化及び製造工程の簡略化が達成されるといった効果がある。
【００３８】
また、請求項５記載の発明にあっては、請求項４記載の発明の効果に加えて、螺旋ピッチの適宜選択により、一対のローラに挟まれる限られた施療範囲内の肌において最も大きくひだの形成される箇所の数の減増を自在に調整することができるという効果がある。
【００３９】
また、請求項６記載の発明にあっては、請求項４又は５記載の発明の効果に加えて、一対のローラに挟まれる施療範囲内の肌において、最も大きくひだの形成される箇所を時間の経過に伴い移動させて肌全体を略均一に施療可能にすることができるという効果がある。
【００４０】
また、請求項７記載の発明にあっては、請求項４〜６のいずれか記載の発明の効果に加えて、一対のローラ間に挟まれる肌の量を自在に変更することができるという効果がある。
【００４１】
また、請求項８記載の発明にあっては、請求項４〜７のいずれか記載の発明の効果に加えて、一対のローラ間で挟むことのできる肌の量を増大させることができるという効果がある。
【図面の簡単な説明】
【図１】本発明の実施の形態における一例のセルライト解消器具を示しており、（ａ）は斜視図、（ｂ）は平面図である。
【図２】（ａ）は一例の動力伝達機構を示す説明図であり、（ｂ）は図１（ｂ）のＡ−Ａ断面図である。
【図３】一例のセルライト解消器具の使用状態の説明図である。
【図４】本発明の実施の形態における他例のセルライト解消器具を示しており、（ａ）は平面図、（ｂ）は斜視図である。
【図５】他例の動力伝達機構を示す説明図である。
【図６】他例のセルライト解消器具の使用状態の説明図である。
【図７】他例のセルライト解消器具において突出部の螺旋ピッチを変更した場合の説明図である。
【図８】他例のセルライト解消器具においてローラの回転数を変更した場合を示しており、（ａ）は平面図、（ｂ）は動力伝達機構の説明図である。
【図９】同上の場合の使用状態の説明図である。
【図１０】他例のセルライト解消器具においてローラ間の距離を可変とした場合の説明図であり、（ａ）は距離を小さくした設定、（ｂ）を距離を距離を大きくした設定を示している。
【図１１】同上の場合のセルライト解消器具の概略断面図である。
【図１２】他例のセルライト解消器具において肌寄せ機構を配した場合の斜視図である。
【図１３】同上の場合の肌寄せ機構の説明図である。
【図１４】同上の場合のセルライト解消器具を示しており、（ａ）は平面図、（ｂ）は断面図である。
【図１５】同上の場合の使用状態の説明図であり、（ａ）は中間位置、（ｂ）は最も接近した状態、（ｃ）は最も離れた状態を示している。
【図１６】本発明の実施の形態における更に他例のセルライト解消器具の平面図である。
【図１７】従来例を示す説明図である。
【符号の説明】
１  一例のセルライト解消器具
４  モータ
５  ローラ
５ｃ  側周面
６  突出部
１１  突起部
７０  肌
２１  他例のセルライト解消器具
２４  モータ
２５  ローラ
２５ｃ  側周面
２６  突出部
４２  肌寄せ片
５１  更に他例のセルライト解消器具
５８  移動板
【図１】
2004298484.tif 000003
【図２】
2004298484.tif 000004
【図３】
2004298484.tif 000005
【図４】
2004298484.tif 000006
【図５】
2004298484.tif 000007
【図６】
2004298484.tif 000008
【図７】
2004298484.tif 000009
【図８】
2004298484.tif 000010
【図９】
2004298484.tif 000011
【図１０】
2004298484.tif 000012
【図１１】
2004298484.tif 000013
【図１２】
2004298484.tif 000014
【図１３】
2004298484.tif 000015
【図１４】
2004298484.tif 000016
【図１５】
2004298484.tif 000017
【図１６】
2004298484.tif 000018
【図１７】
2004298484.tif 000019